【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
手術用ケーブルまたは縫合糸のための形状付与可能なパッサーであって、
柔軟で管状の押し出し成形品
を備え、前記押し出し成形品は、
少なくとも１つの手術用ケーブルまたは縫合糸の前端部を受けるように配置された少なくとも１つの内腔と、
可鍛性強化要素を含むように配置された少なくとも１つの内腔と
を備え、前記内腔が互いに平行に、かつ、前記押し出し成形品の長軸に沿って縦に配置され、前記パッサーの可鍛性部分が手術中に所望の形状にすることができる、パッサー。
【請求項２】
少なくとも１つの手術用ケーブルまたは縫合糸の前端部を受けるように配置された前記少なくとも１つの内腔は、２つの手術用ケーブルまたは縫合糸の前記前端部を受ける大きさおよび形状に作られた単一の内腔からなる、請求項１に記載のパッサー。
【請求項３】
１つまたは複数の可鍛性強化要素をさらに備え、前記強化要素がそれぞれの内腔内の所定の場所に固定され、前記強化要素内腔の前端部がシールされている、蓋をされている、または、先端を覆われている、請求項１に記載のパッサー。
【請求項４】
１つまたは複数の可鍛性強化要素をさらに備え、前記強化要素がそれぞれの内腔内で自由にスライドし、前記内腔の各々が前端部および後端部を有し、前記強化要素内腔の前記前端部および後端部に蓋がされていない、請求項１に記載のパッサー。
【請求項５】
追加の内腔と、前記追加の内腔内の補助ワイヤーまたはコイルをさらに備え、前記パッサーを前記補強要素に沿ってスライドさせるのに前記補助ワイヤーまたはコイルをユーザーが利用できるように配置される、請求項４に記載のパッサー。
【請求項６】
手術用ケーブルまたは縫合糸の前記前端部を受けるように配置された前記少なくとも１つの内腔が前端部および後端部を有し、前記後端部が朝顔形に広がっていて、前記手術用ケーブルまたは縫合糸の前記前端部を前記内腔に手で挿入することが容易である、請求項１に記載のパッサー。
【請求項７】
手術用ケーブルまたは縫合糸の前端部を受けるように配置された前記少なくとも１つの内腔の前記前端部がシールされている、蓋をされている、または、先端を覆われている、請求項６に記載のパッサー。
【請求項８】
手術用ケーブルまたは縫合糸の前端部を受けるように配置された前記少なくとも１つの内腔が第１および第２の内腔からなり、前記第１および第２の内腔がそれぞれの手術用ケーブルまたは縫合糸の前端部を受けるように配置されている、請求項１に記載のパッサー。
【請求項９】
可鍛性強化要素を含むように配置された前記少なくとも１つの内腔が第３の内腔からなり、前記押し出し成形品が、断面において、前記第１、第２および第３の内腔が一列に配置されるように配置されている、請求項８に記載のパッサー。
【請求項１０】
可鍛性強化要素を含むように配置された前記少なくとも１つの内腔が第３の内腔からなり、前記押し出し成形品が、断面において、前記第１、第２および第３の内腔が三角形配列に配置されるように配置されている、請求項８に記載のパッサー。
【請求項１１】
前記押し出し成形品の前端部がシールされ、丸い前側先端部に形成されている、請求項１に記載のパッサー。
【請求項１２】
前記押し出し成形品がマルチデュロメーター押し出し成形品であり、ユーザーが作動させたときに前記パッサーの前端部でカールすることができる機械要素を前記パッサーがさらに備えている、請求項１に記載のパッサー。
【請求項１３】
手術用ケーブルまたは縫合糸の前端部を受けるように配置された前記内腔の少なくとも１つに予め取り付けられた手術用ケーブルをさらに備える、請求項１に記載のパッサー。
【請求項１４】
手術用ケーブルまたは縫合糸の前端部を受けるように配置された前記内腔の少なくとも１つに予め取り付けられた手術用縫合糸をさらに備える、請求項１に記載のパッサー。
【請求項１５】
それぞれの光伝達繊維を受けることができる１つまたは複数の内腔をさらに備える、請求項１に記載のパッサー。
【請求項１６】
少なくとも１つの可鍛性強化要素をさらに備え、前記可鍛性強化要素がその前端部に膨径特徴部を含み、前記要素および前記押し出し成形品の締まりばめをきつくする、請求項１に記載のパッサー。
【請求項１７】
少なくとも１つの可鍛性強化要素をさらに備え、前記少なくとも１つの可鍛性強化要素の特性が前記可鍛性強化要素の長さに沿って変化する、請求項１に記載のパッサー。
【請求項１８】
少なくとも１つの可鍛性強化要素をさらに備え、前記少なくとも１つの可鍛性強化要素の前端部近くにテーパーを付ける、平坦化する、または、切り欠きを設け、テーパーを付ける、平坦化する、または、切り欠きを設けることを行わない場合に起こりうるよりもきつい曲げを前記要素に形成できるようにする、請求項１に記載のパッサー。
【請求項１９】
少なくとも１つの可鍛性強化要素をさらに備え、前記少なくとも１つの可鍛性強化要素は丸くないまたはリボン状であり、前記パッサーを捻ったときに、前記パッサーの内側で前記ワイヤーがトグリングまたはクロッキングをする可能性を軽減する、請求項１に記載のパッサー。
【請求項２０】
手術用ケーブルまたは縫合糸の前端部を受けるように配置された前記少なくとも１つの内腔が前端部と、後端部とを有し、手術用ケーブルまたは縫合糸を前記内腔の後端部内に完全に取り付けたとき、前記ケーブルまたは縫合糸と、前記内腔との間の摩擦で前記ケーブルまたは縫合糸が前記内腔から外れないように配置されている、請求項１に記載のパッサー。
【手続補正２】
【補正対象書類名】図面
【補正対象項目名】図１ａ
【補正方法】変更
【補正の内容】
【図１ａ】
2014518658.tif 000001
【手続補正３】
【補正対象書類名】図面
【補正対象項目名】図１ｂ
【補正方法】変更
【補正の内容】
【図１ｂ】
2014518658.tif 000002
【手続補正４】
【補正対象書類名】図面
【補正対象項目名】図１ｃ
【補正方法】変更
【補正の内容】
【図１ｃ】
2014518658.tif 000003
【手続補正５】
【補正対象書類名】図面
【補正対象項目名】図１ｄ
【補正方法】変更
【補正の内容】
【図１ｄ】
2014518658.tif 000004
【手続補正６】
【補正対象書類名】図面
【補正対象項目名】図１ｅ
【補正方法】変更
【補正の内容】
【図１ｅ】
2014518658.tif 000005
【手続補正７】
【補正対象書類名】図面
【補正対象項目名】図１ｆ
【補正方法】変更
【補正の内容】
【図１ｆ】
2014518658.tif 000006
【手続補正８】
【補正対象書類名】図面
【補正対象項目名】図１ｇ
【補正方法】変更
【補正の内容】
【図１ｇ】
2014518658.tif 000007
【手続補正９】
【補正対象書類名】図面
【補正対象項目名】図１ｈ
【補正方法】変更
【補正の内容】
【図１ｈ】
2014518658.tif 000008
【手続補正１０】
【補正対象書類名】図面
【補正対象項目名】図２ａ
【補正方法】変更
【補正の内容】
【図２ａ】
2014518658.tif 000009
【手続補正１１】
【補正対象書類名】図面
【補正対象項目名】図２ｂ
【補正方法】変更
【補正の内容】
【図２ｂ】
2014518658.tif 000010
【手続補正１２】
【補正対象書類名】図面
【補正対象項目名】図２ｃ
【補正方法】変更
【補正の内容】
【図２ｃ】
2014518658.tif 000011
【手続補正１３】
【補正対象書類名】図面
【補正対象項目名】図２ｄ
【補正方法】変更
【補正の内容】
【図２ｄ】
2014518658.tif 000012
【手続補正１４】
【補正対象書類名】図面
【補正対象項目名】図２ｅ
【補正方法】変更
【補正の内容】
【図２ｅ】
2014518658.tif 000013
【手続補正１５】
【補正対象書類名】図面
【補正対象項目名】図３
【補正方法】変更
【補正の内容】
【図３】
2014518658.tif 000014
【手続補正１６】
【補正対象書類名】図面
【補正対象項目名】図４
【補正方法】変更
【補正の内容】
【図４】
2014518658.tif 000015
【手続補正１７】
【補正対象書類名】図面
【補正対象項目名】図５
【補正方法】変更
【補正の内容】
【図５】
2014518658.tif 000016
【手続補正１８】
【補正対象書類名】図面
【補正対象項目名】図６
【補正方法】変更
【補正の内容】
【図６】
2014518658.tif 000017